(57)【要約】【課題】  自機が備える様々な機能の処理を実行させるための操作手段として、２つの筐体の開閉動作を利用することができる携帯端末装置を提供する。【解決手段】  第１筐体４と第２筐体８が開閉自在に互いに連結されて、閉状態又は開状態のいずれの状態であっても表示部２を外側に露出させるようになっていると共に、閉状態にすると第１筐体により主操作部３１が覆い隠され、開状態にすると主操作部が露出するようになっている携帯端末装置３０，７０であって、第１筐体と第２筐体の互いの相対開度を検出する開度検出部４６と、相対開度と機能とを対応付けて記憶する記憶部４８と、閉状態から第１筐体と第２筐体との相対位置が互いに開方向に移動した後に元の閉状態に戻されたときに、当該操作中に生じた相対最大開度に応じた機能の処理を実行する制御を行なう制御部５０とを備えるようにした。【選択図】      図１
2005109970.tif 000002
【特許請求の範囲】
【請求項１】
表示部を有する第１筐体と主操作部を有する第２筐体が開閉自在に互いに連結されて、閉状態又は開状態のいずれの状態であっても表示部を外側に露出させるようになっていると共に、閉状態にすると第１筐体により主操作部が覆い隠され、開状態にすると主操作部が露出するようになっている携帯端末装置であって、
前記第１筐体と前記第２筐体の互いの相対開度を検出する開度検出部と、
所定の相対開度と所定の機能とを対応付けて記憶する記憶部と、
閉状態から前記第１筐体と前記第２筐体との相対位置が互いに開方向に移動した後に元の閉状態に戻されたときに、当該操作中に生じた第１筐体と第２筐体の互いの相対最大開度に応じた機能の処理を実行する制御を行なう制御部と
を備えることを特徴とする携帯端末装置。
【請求項２】
前記第１筐体と前記第２筐体のそれぞれの端部は、第２筐体の前記主操作部が配置される面に垂直な連結軸を中心に回動自在に連結されることを特徴とする請求項１に記載の携帯端末装置。
【請求項３】
閉状態から前記第１筐体と前記第２筐体との相対位置が互いに開方向に移動し始めたときに時間計測を開始するタイマーを備えて、
前記制御部は、閉状態から前記第１筐体と前記第２筐体との相対位置が互いに開方向に移動した後に元の閉状態に戻されるまでの間に、前記タイマーから所定時間に達した旨の信号を受信した場合には、前記機能の処理を実行しないようにしたことを特徴とする請求項１又は請求項２に記載の携帯端末装置。
【請求項４】
前記第１筐体又は前記第２筐体のいずれかに閉状態及び開状態のいずれの状態でも操作することができる誤動作防止キーが設けられて、
前記制御部は、前記誤動作防止キーが操作されている状態のままで、閉状態から前記第１筐体と前記第２筐体との相対位置が互いに開方向に移動した後に元の閉状態に戻されたときに、機能の処理を実行する制御を行なうようにしたことを特徴とする請求項１ないし請求項３のいずれかに記載の携帯端末装置。
【発明の詳細な説明】
【技術分野】
【０００１】
本発明は、連結された２つの筐体を備える携帯端末装置に関し、詳しくは、一方の筐体に表示部を有して、この表示部を露出させたまま２つの筐体の開閉動作を行なうことができる携帯端末装置に関するものである。
【背景技術】
【０００２】
従来の携帯端末装置として、図１０に示すように、表示部２を有する第１筐体４と、テンキー５を含む操作部６を有する第２筐体８と、この第２筐体８における操作部６が配置される操作面９に垂直な軸線を有して、第１筐体４と第２筐体８を相互に平行方向に回動可能に連結する連結軸１０とを備える重ね型携帯端末装置１２があった（例えば、特許文献１参照）。
【０００３】
この重ね型携帯端末装置１２は、図１０に示す状態のように、操作部６を操作することができるように第１筐体４と第２筐体８を開き切った開状態にした場合であっても、また、図示しないが、開状態から第１筐体４を第２筐体８に対しておよそ１８０°回動することにより、操作部６を覆うように第１筐体４を第２筐体８上に重ねた閉状態にした場合であっても、表示部２の表示面１４を外側に露出させておくことができるようになっていた。
【０００４】
そして、この重ね型携帯端末装置１２は、第１筐体４と第２筐体８の回動動作（開閉動作）を主電源の接続動作及び切断動作に利用することができるように、連結軸１０の近傍に不図示の電源スイッチが設けられていた。
【特許文献１】特開平７−２８８８６０号公報
【発明の開示】
【発明が解決しようとする課題】
【０００５】
しかしながら、前記特許文献１に記載されているような重ね型携帯端末装置１２は、第１筐体４と第２筐体８の開閉動作を主電源の接続動作及び切断動作に利用するようになっていたが、自機が備える様々な機能の処理を実行させるための操作手段として、このような開閉動作を十分に利用していないという問題があった。
【０００６】
そこで本発明は、上記問題点に鑑みて、自機が備える様々な機能の処理を実行させるための操作手段として、２つの筐体の開閉動作を利用することができる携帯端末装置を提供することを課題とするものである。
【課題を解決するための手段】
【０００７】
上記課題を解決するために本発明は、
表示部を有する第１筐体と主操作部を有する第２筐体が開閉自在に互いに連結されて、閉状態又は開状態のいずれの状態であっても表示部を外側に露出させるようになっていると共に、閉状態にすると第１筐体により主操作部が覆い隠され、開状態にすると主操作部が露出するようになっている携帯端末装置であって、
前記第１筐体と前記第２筐体の互いの相対開度を検出する開度検出部と、
所定の相対開度と所定の機能とを対応付けて記憶する記憶部と、
閉状態から前記第１筐体と前記第２筐体との相対位置が互いに開方向に移動した後に元の閉状態に戻されたときに、当該操作中に生じた第１筐体と第２筐体の互いの相対最大開度に応じた機能の処理を実行する制御を行なう制御部とを備えることを特徴とするものである。
【０００８】
また、本発明による携帯端末装置は、前記第１筐体と前記第２筐体のそれぞれの端部が、第２筐体の前記主操作部が配置される面に垂直な連結軸を中心に回動自在に連結されることを特徴とする。
【０００９】
また、本発明による携帯端末装置は、
閉状態から前記第１筐体と前記第２筐体との相対位置が互いに開方向に移動し始めたときに時間計測を開始するタイマーを備えて、
前記制御部は、閉状態から前記第１筐体と前記第２筐体との相対位置が互いに開方向に移動した後に元の閉状態に戻されるまでの間に、前記タイマーから所定時間に達した旨の信号を受信した場合には、前記機能の処理を実行しないようにしたことを特徴とする。
【００１０】
また、本発明による携帯端末装置は、
前記第１筐体又は前記第２筐体のいずれかに閉状態及び開状態のいずれの状態でも操作することができる誤動作防止キーが設けられて、
前記制御部は、前記誤動作防止キーが操作されている状態のままで、閉状態から前記第１筐体と前記第２筐体との相対位置が互いに開方向に移動した後に元の閉状態に戻されたときに、機能の処理を実行する制御を行なうようにしたことを特徴とする。
【発明の効果】
【００１１】
このような本発明の携帯電話機によれば、自機が備える様々な機能の処理を実行させるための操作手段として、２つの筐体の開閉動作を利用することができる。
【発明を実施するための最良の形態】
【００１２】
以下、本発明に係る携帯端末装置の実施の形態について、図面に基づいて具体的に説明する。
【００１３】
図１ないし図７は、本発明の第１の実施の形態に係る重ね型携帯電話機３０（携帯端末装置に相当）について説明するために参照する図である。これらの図に示す重ね型携帯電話機３０は、従来の重ね型携帯端末装置１２と同様の部分には同じ符号を付して説明し、従来と同様の構成についての重複する説明は省略するものとする。
【００１４】
図１に示すように、この重ね型携帯電話機３０における第２筐体８の操作面９には、従来の重ね型携帯端末装置１２の操作部６に相当する主操作部３１が備えられていると共に、その長さ方向に平行であって操作面９と互いに隣り合う側面３２に、補助操作部としての誤動作防止キー３４が設けられている。この誤動作防止キー３４は、開状態又は閉状態のいずれの状態であっても操作することができる。
【００１５】
また、誤動作防止キー３４は、指先等により押し込まれたとき（操作された状態のとき）に「ＯＮ」の信号を送信し、指先等が離されたときには押し込まれる前の状態に復帰すると共に、信号の送信を行なわない「ＯＦＦ」の状態になるような自動復帰接点方式のキーが用いられている。
【００１６】
ユーザーは、例えば、左手の親指以外の４本の指と手の平によって第２筐体８をその背後側から保持すると共に、親指の指先の腹の部分を誤動作防止キー３４に軽く当接させることができる。そして、第２筐体８を保持した状態を維持しながら親指を動かすことにより、誤動作防止キー３４を押し込む操作を行なうことができる。
【００１７】
ここで、この重ね型携帯電話機３０は、従来の重ね型携帯端末装置１２と同様に、主操作部３１を操作することができるようにするために、第１筐体４と第２筐体８を開き切った状態を開状態といい、主操作部３１を覆うように第１筐体４を第２筐体８上に重ねた状態を閉状態ということとする。
【００１８】
また、第１筐体４と第２筐体８との互いの相対角度を広げるように回動させる操作を開方向に移動させる操作ということとする。逆に、相対角度を狭くするように回動させる操作を閉方向に移動させる操作ということとする。
【００１９】
また、閉状態を基準にして、この閉状態における第１筐体４と第２筐体８の互いの相対角度を０°とし、開状態を１８０°とすると、この相対角度の大きさは、操作面９が外部に露出する程度を表す目安となる。そのため、以後の説明においては、第１筐体４と第２筐体８との互いの相対角度を相対開度ということとする。
【００２０】
この重ね型携帯電話機３０は、様々なモード（機能）を備えて、その設定を変更することができるようになっている。例えば、マナーモード、ドライブモード、リモコンモード、及び文字入力モードの設定を変更することができるようになっている。
【００２１】
マナーモードは、「ＯＮ」又は「ＯＦＦ」のいずれかに設定するようになっている。重ね型携帯電話機３０は、マナーモードが「ＯＦＦ」に設定されている場合には、通話や電子メールの着信をユーザーに報知音により報知するように動作するが、マナーモードが「ＯＮ」に設定されている場合には、報知音は鳴らさずに後述のバイブレーター４９の振動によりユーザーに報知するようになっている。
【００２２】
ドライブモードは、「ＯＮ」又は「ＯＦＦ」のいずれかに設定するようになっている。ドライブモードが「ＯＦＦ」に設定されている場合には、通話の着信を知らせる報知音等の出力はフックオフの操作が行なわれるまで続くが、ドライブモードが「ＯＮ」に設定されている場合には、通話の着信があったときに報知音等の出力を一定の短い時間で中断すると共に、自動車の運転中であるために応対することができない旨のガイダンスを自動的に再生するようになっている。
【００２３】
また、この重ね型携帯電話機３０は、テレビ受像機等のリモコンとしても利用することができるようになっていて、リモコンモードの設定を「電話設定」又は「リモコン設定」のいずれかに選択するようになっている。「電話設定」に設定されている場合には、電話機能が有効になってリモコン機能は利用することができない。逆に、「リモコン設定」に設定されている場合には、電話機能を利用することはできないが、リモコンとして利用することができるようになっている。
【００２４】
また、文字入力モードは、仮名文字の入力操作に関して、「第１の入力方式」と「第２の入力方式」のいずれかを選択することができるようになっている。文字入力モードが「第１の入力方式」に設定されている場合には、入力対象の仮名文字が属している五十音の行に対応するキーを操作して仮名文字を入力するようになっている。
【００２５】
すなわち、図２に示すように、主操作部３１のテンキー５の「１」から「９」及び「０」の各キーには、五十音の各行ごとに仮名文字が割当てられている。たとえば、テンキー５の「１」のキーには「あ行」が、「２」のキーには「か行」が、「３」のキーには「さ行」が割当てられている。また、「０」のキーには「わ」「を」「ん」の文字が割当てられている。
【００２６】
したがって、仮名文字の「く」の文字を入力したいような場合には、まず、テンキー５の「２」のキーを１回押しこんで「か行」の中の母音「あ」の段に相当する「か」の文字を表示部２に表示させてから、続けてテンキー５の「２」のキーを２回押しこむことにより、表示部２の「か」の表示を母音「い」の段の「き」、「う」の段の「く」の順に変更させるようになっている。
【００２７】
また、文字入力モードが「第２の入力方式」に設定されている場合には、図３に示すように、各仮名文字は、その仮名文字が属する五十音の行（子音）を表す列番号と、段（母音）を表す行番号の２つの数字で表すようになっている。したがって、仮名文字の「く」の文字を入力したいような場合には、「か行」を表す列番号「２」と「う」段を表す行番号「３」の組み合わせにより、図２中に示す主操作部３１のテンキー５から「２３」と入力するようになっている。
【００２８】
図４は、重ね型携帯電話機３０の回路構成を示すブロック図である。重ね型携帯電話機３０は、既に説明したように、表示部２、主操作部３１及び誤動作防止キー３４を備えており、これら以外にアンテナを有する無線部３６、データ処理部３８、音声処理部４０、スピーカー４２、マイクロホン４４、開度検出部４６、タイマー４７、記憶部４８、バイブレーター４９、及びこれらを制御する制御部５０を備えている。
【００２９】
無線部３６、データ処理部３８、音声処理部４０、スピーカー４２、マイクロホン４４、及びバイブレーター４９は、一般的な携帯電話機の通話機能等と同様に動作するものであるため、その説明は省略する。
【００３０】
開度検出部４６は、図１において図示されていないが、連結軸１０の近傍に設けられており、第１筐体４と第２筐体８の互いの相対位置を開方向又は閉方向に移動させることにより、その相対開度が予め設定されている複数の所定の開度のいずれかになった場合に、開度検出部４６は、これを検出すると共にこの信号を制御部５０に送信するようになっている。
【００３１】
このような開度検出部４６としては、例えば、磁気センサー、光学センサー又は機械的スイッチ等を用いることができる。また、電気的な導通接点やリードスイッチを設けて、所定の開度ごとに相対開度を検出するようになっていてもよい。
【００３２】
また、図５に示すように、この重ね型携帯電話機３０は、クリック（ｃｌｉｃｋ）機構５２を備えている。このクリック機構５２は、連結軸１０の近傍に設けられており、ボール部材５４を第２筐体８の操作面９に押し当てるように、第１筐体４の内部に備えられたバネ部材５６がボール部材５４を付勢するようになっている。
【００３３】
一方、第２筐体８の操作面９上には、開度検出部４６が検出動作を行なう所定の開度に対応して、ボール部材５４の一部が押し込まれるような球面状の窪み５８が、連結軸１０の軸線を中心とする同一円周上に形成されていて、第１筐体４と第２筐体８の互いの相対位置を開方向又は閉方向に移動させた場合に、所定の開度ごとにクリック感を得られるようになっている。
【００３４】
この重ね型携帯電話機３０の開度検出部４６は、所定の開度として０°、１０°、５０°、９０°、１３０°、１７０°及び１８０°を検出するようになっている。したがって、このような所定の開度における相対開度の検出に対応して、ユーザーは、クリック機構５２からクリック感を得られるようになっている。
【００３５】
次に、図４に示すタイマー４７は、閉状態のときに誤動作防止キー３４を押し込みながら、第１筐体４と第２筐体８の互いの位置を開方向に移動させると時間の計測を開始し、所定時間に達した場合にはその旨の信号を制御部５０に出力するようになっている。このタイマー３４が計測する所定時間は、主操作部３１からの操作によりユーザーが設定することができるようになっている。
【００３６】
また、記憶部４８は、モード名称テーブル、振動通知の設定、及び開度検出部が検出する最大開度を記憶するようになっていて、それぞれテーブル領域４８ａ、振動通知領域４８ｂ、及び最大開度領域４８ｃに記憶されるようになっている。
【００３７】
モード名称テーブルは、図６に示すように、閉状態の近傍である０°から１０°までの開度の範囲と、開状態の近傍である１７０°から１８０°までの開度の範囲を除いて、開度検出部４６が検出する相対開度を区切りとする４つの開度の範囲ごとに、モードの名称をテーブル形式で表したものである。これらのモードの名称は、主操作部３１からの操作により他のモードの名称に変更したり削除したりすることができるようになっている。
【００３８】
また、振動通知の設定は、主操作部３１からの操作により、「ＯＮ」又は「ＯＦＦ」のいずれかに設定されて、これが図４中における記憶部４８の振動通知領域４８ｂに記憶されるようになっている。振動通知の設定が「ＯＮ」になっている場合には、後述する制御部５０の動作によっていずれかのモードが変更されたときに、その旨をバイブレーター４９の振動によりユーザーに報知するようになっている。また、振動通知の設定が「ＯＦＦ」になっている場合には、モードが変更された旨をバイブレーター４９の振動ではなく電子音等で報知するようになっている。
【００３９】
また、最大開度領域４８ｃには、後述するように、第１筐体４と第２筐体８の互いの相対位置を移動させる操作と誤動作防止キー３４の操作が組合せて行なわれたときにおいて、開度検出部４６が検出した最大開度が記憶されるようになっている。
【００４０】
次に、図４に示す制御部５０は、第１筐体４と第２筐体８の互いの相対位置を移動させる操作と誤動作防止キー３４の操作の組合せにより、図７及び図８のフローチャートに示すように、モードの設定を変更するようになっている。
【００４１】
制御部５０は、開状態で誤動作防止キー３４が押し込まれている旨の信号を受信し続けている状態のときに（ステップＳ１のＹＥＳ）、第１筐体４と第２筐体８の互いの相対位置を開方向に移動させる操作が行なわれて、開度検出部４６が閉状態を検出しなくなった場合には（ステップＳ２のＹＥＳ）、タイマー４７に時間計測を開始させるようになっている（ステップＳ３）。
【００４２】
ステップＳ１において、誤動作防止キー３４が押し込まれずに（ステップＳ１のＮＯ）、第１筐体４と第２筐体８の互いの相対位置を移動させる操作などが行なわれたような場合には、制御部５０は、このフローチャートに示すような制御動作を行なわない。
【００４３】
また、この誤動作防止キー３４が押し込まれている旨の信号を受信し続けている状態のときであっても（ステップＳ１のＹＥＳ）、第１筐体４と第２筐体８の互いの相対位置を移動させる操作が行なわれない場合には（ステップＳ２のＮＯ）、制御部５０は待機の状態になる。
【００４４】
ステップＳ３においてタイマー４７が時間の計測を開始すると、制御部５０は、このときの開度検出部４６の検出開度に関わらずに、直ちに記憶部４８の最大開度領域４８ｃに初期値の０°を記憶させるようになっている（ステップＳ４）。
【００４５】
そして、ユーザーが第１筐体４と第２筐体８の互いの相対位置を移動させると、開度検出部４６は、第１筐体４と第２筐体８の互いの相対開度が所定の開度になったときに、この所定の開度を検出するようになっている（ステップＳ５）。
【００４６】
ステップＳ５で開度検出部４６が検出した検出開度が、記憶部４８の最大開度領域４８ｃに記憶されている最大開度よりも大きい場合には（ステップＳ６のＹＥＳ）、制御部５０は、スッテプ６以前の最大開度に代えて、この検出開度を新たな最大開度として記憶部４８の最大開度領域４８ｃに記憶させるようになっている（ステップＳ７）。  
【００４７】
そして、図示しないが、制御部５０は、この新たな最大開度に対応するモードのアイコン(ピクト表示)を表示部２に表示させるようになっている（ステップＳ８）。したがって、ユーザーは、表示部２にアイコンで表示されているモードが操作により選択されていることを認識することができる。
【００４８】
また、ステップＳ５で開度検出部４６が検出した検出開度が、記憶部４８の最大開度領域４８ｃに記憶されている最大開度の大きさ以下である場合には（ステップＳ６のＮＯ）、制御部５０は、ステップＳ７及びステップＳ８の動作は行なわない。表示部２には、最大開度領域４８ｃに記憶されている現状の最大開度に対応するアイコンが表示され続けるようになっている。
【００４９】
ステップＳ３以後の動作中において、タイマー４７から所定の時間に達した旨の信号を受信すると（ステップＳ９のＹＥＳ）、制御部５０は、このフローチャートに示す一連の制御動作を終了するが、タイマー４７から信号を受信しておらず（ステップＳ９のＮＯ）、第１筐体４と第２筐体８の互いの相対位置が閉状態に戻されていない場合には（ステップＳ１０のＮＯ）、第１筐体４と第２筐体８の互いの相対位置を開方向又は閉方向に移動させるごとに、ステップＳ５からステップＳ１０までの動作を繰り返すようになっている。
【００５０】
また、タイマー４７から所定の時間に達した旨の信号を受信する前の状態において（ステップＳ９のＮＯ）、第１筐体４と第２筐体８の互いの相対位置を閉状態に戻す操作が行なわれた場合には（ステップＳ１０のＹＥＳ）、制御部５０は、図８中に示すステップ１１において、記憶部４８の最大開度領域４８ｃに記憶されている最大開度に対応するモードが存在するかどうかについて、また、ステップ１で操作が開始されてからこのステップＳ１１で閉状態に戻されるまでの間、誤動作防止キーが押し込まれたままの状態であったかどうかについて判定するようになっている。
【００５１】
ステップＳ１１において、記憶部４８の最大開度領域４８ｃに記憶されている最大開度に対応するモードが、テーブル領域４８ａのテーブルに存在しないか、又は誤動作防止キー３４がステップ１からこのステップＳ１１までの間に離されたような場合には（ステップＳ１１のＮＯ）、制御部５０は、モードの設定を変更しないで、このフローチャートに示す一連の制御動作を終了する。
【００５２】
また、ステップＳ１１において、記憶部４８の最大開度領域４８ｃに記憶されている最大開度に対応するモードが、テーブル領域４８ａのテーブルに存在すると共に、誤動作防止キー３４がステップ１からこのステップＳ１１までの間押し込まれたままである場合には（ステップＳ１１のＹＥＳ）、制御部５０は、最大開度に対応するモードの設定を変更するようになっている（ステップＳ１２）。
【００５３】
例えば、制御部５０がこのフローチャートの動作を開始する前において、リモコンモードの設定が「電話設定」であった場合に、誤動作防止キー３４を押し込みながら、第１筐体４と第２筐体８の互いの相対位置を、閉状態から相対最大開度が１２０゜になるまで移動させた後に、元の閉状態に戻す操作が所定時間内に行われたとする。この場合には、図６に示すように、１２０゜の最大相対角度はリモコンモードに対応するので、制御部５０は、リモコンモードの設定を「電話設定」から「リモコンモード」に変更する。
【００５４】
そして、記憶部４８の振動通知領域４８ｂに記憶されている振動通知の設定が「ＯＮ」である場合には（図８中、ステップＳ１３のＹＥＳ）、制御部５０はバイブレーター４９を振動させてユーザーにモードを変更したことを報知する（ステップＳ１４）。また、振動通知の設定が「ＯＦＦ」である場合には（ステップＳ１３のＮＯ）、電子音や発光素子により報知するようになっている（ステップＳ１５）。
【００５５】
このような本発明の重ね型携帯電話機３０によれば、自機が備える様々な機能の処理を実行させるための操作手段として、２つの筐体の開閉動作を利用することができる。
また、変更されるモードの名称が表示部２に表示されるようになっているので、簡単な操作で確実にモードの設定を変更することができる。
【００５６】
また、誤動作防止キー３４を押し込んで第１筐体４と第２筐体８の互いの相対位置を移動させる操作を行なうようになっているので、誤作動を防止することができる。
【００５７】
次に、図９に基づいて、本発明に係る第２の実施の形態に係るスライド型携帯電話機７０（携帯端末装置に相当）について説明する。この図に示すスライド型携帯電話機７０は、前記第１の実施の形態に係る重ね型携帯電話機３０と同様の部分には同じ符号を付して説明し、同様の構成や動作についての重複する説明は省略するものとする。
【００５８】
図９に示すように、本実施の形態に係るスライド型携帯電話機７０は、第２筐体８を第１筐体４の内部に収納することができるような構造になっており、第１筐体４の長さ方向の一方の端部に形成される開口部７２から第２筐体８を引出すことができるようになっている。
【００５９】
また、スライド型携帯電話機７０は、第１の実施の形態と異なり、第１筐体４の側面３３に誤動作防止キー３４が配置されるようになっており、開状態又は閉状態のいずれの状態であっても操作することができるようになっている。
【００６０】
このようなスライド型携帯電話機７０は、第１の実施の形態と同様に、開状態と閉状態、開方向と閉方向、及び相対開度の概念を用いることができる。すなわち、第１筐体４と第２筐体８を開き切った状態を開状態といい、主操作部３１を覆うように第１筐体４を第２筐体８上に重ねた状態を閉状態ということができる。
【００６１】
また、第１筐体４と第２筐体８との互いの引出し長さを大きくするように引出す操作を開方向に移動させる操作ということができ、互いの引出し長さを小さくするように押し込む操作を閉方向に移動させる操作ということができる。また、第１筐体４と第２筐体８との互いの引出し長さを相対開度ということができる。
【００６２】
また、このスライド型携帯電話機７０は、第２筐体８の側面３２に、７つの導通接点４６ａ，４６ｂ，４６ｃ，４６ｄ，４６ｅ，４６ｆ，４６ｇが設けられている。
【００６３】
これらの導通接点４６ａ，４６ｂ，４６ｃ，４６ｄ，４６ｅ，４６ｆ，４６ｇは、第２筐体８の引出し長さ（相対開度）を調節したときに、第１筐体４の内部であって開口部７２の近傍に設けられる不図示の導通接点と接触することにより電気的に導通して、第２筐体８の引出し長さを検出することができるようになっている。
【００６４】
したがって、第２筐体８の７つの導通接点４６ａ，４６ｂ，４６ｃ，４６ｄ，４６ｅ，４６ｆ，４６ｇ及び第１筐体４の不図示の導通接点は、第１の実施の形態と同様の開度検出部４６を構成して、第１筐体４と第２筐体８の互いの相対開度を検出するようになっている。
【００６５】
このようなスライド型携帯電話機７０によれば、第１の実施の形態と同様に、自機が備える様々な機能の処理を実行させるための操作手段として、２つの筐体の開閉動作を利用することができる。
【００６６】
また、変更されるモードの名称が表示部２に表示されるようになっているので、簡単な操作で確実にモードの設定を変更することができる。
【００６７】
また、誤動作防止キー３４を押し込んで第１筐体４と第２筐体８の互いの相対位置を移動させる操作を行なうようになっているので、誤作動を防止することができる。
【００６８】
なお、前記第１及び第２の実施の形態においては、誤動作防止キー３４が押し込まれ続けていると共に、開度検出部４６が閉状態を検出しなくなった場合に（図７のステップＳ１のＹＥＳ、及びステップＳ２のＹＥＳ）、ステップＳ３で制御部５０がタイマー４７に時間計測を開始させるようになっているが、図４に示すブロック図とは異なる構成として、誤動作防止キー３４と開度検出部４６のそれぞれが、制御部５０を介さずに直接タイマー４７に信号を出力するようになっていてもよい。
【００６９】
このような場合にタイマー４７は、誤動作防止キー３４からこの誤動作防止キー３４が押し込まれている旨の信号を受信しており、開度検出部４６から閉状態を検出している旨の信号を受信しなくなったときに、時間計測を開始するようになっていることはいうまでもない。
【００７０】
また、第２の実施の形態においては、開度検出部４６は、導通接点４６ａ，４６ｂ，４６ｃ，４６ｄ，４６ｅ，４６ｆ，４６ｇ及び第１筐体４の不図示の導通接点により構成されるようになっていたが、第１の実施の形態と同様に、磁気センサー、光学センサー、機械的スイッチ又は電気的なリードスイッチ等を用いてもよい。
【００７１】
また、前記第１及び第２の実施の形態においては、本発明を重ね型携帯電話機３０及びスライド型携帯電話機７０に適用した場合について説明したが、同様の型式であればＰＤＡ（Ｐｅｒｓｏｎａｌ  Ｄｉｇｉｔａｌ  Ａｓｓｉｓｔａｎｔ）のような他の携帯端末装置にも、同様の技術的思想に基づいて本発明を適用することができることはいうまでもない。
【図面の簡単な説明】
【００７２】
【図１】本発明の第１の実施の形態に係る重ね型携帯電話機３０を示す斜視図である。
【図２】図１中に示す第２筐体８の拡大平面図である。
【図３】文字入力モードにおける第２の入力方式の列番号と行番号からなるテーブルを示す図である。
【図４】図１に示す重ね型携帯電話機３０の回路構成を示すブロック図である。
【図５】図１に示す重ね型携帯電話機３０のＡ−Ａ線矢視断面図である。
【図６】記憶部４８に記憶されるモード名称テーブルを示す図である。
【図７】本発明の第１及び第２の実施の形態における制御部５０の動作手順を示すフローチャートである。
【図８】本発明の第１及び第２の実施の形態における制御部５０の動作手順を示すフローチャートである。
【図９】本発明の第２の実施の形態に係るスライド型携帯電話機７０を示す斜視図である。
【図１０】従来の重ね型携帯端末装置１２を示す斜視図である。
【符号の説明】
【００７３】
２  表示部
４  第１筐体
５  テンキー
６  操作部
８  第２筐体
９  操作面
１０  連結軸
１２  重ね型携帯端末装置
１４  表示部
３０  重ね型携帯電話機
３１  主操作部
３２，３３  側面
３４  誤動作防止キー  
３６  無線部
３８  データ処理部
４０  音声処理部
４２  スピーカー
４４  マイクロホン
４６  開度検出部
４６ａ，４６ｂ，４６ｃ，４６ｄ，４６ｅ，４６ｆ，４６ｇ  導通接点
４７  タイマー
４８  記憶部  
４８ａ  テーブル領域
４８ｂ  振動通知領域
４８ｃ  最大開度領域
４９  バイブレーター
５０  制御部
５２  クリック機構
５４  ボール部材
５６  バネ部材
５８  窪み
７０  スライド型携帯電話機
７２  開口部
【図１】
2005109970.tif 000003
【図２】
2005109970.tif 000004
【図３】
2005109970.tif 000005
【図４】
2005109970.tif 000006
【図５】
2005109970.tif 000007
【図６】
2005109970.tif 000008
【図７】
2005109970.tif 000009
【図８】
2005109970.tif 000010
【図９】
2005109970.tif 000011
【図１０】
2005109970.tif 000012